(57)【要約】      （修正有）【課題】メモリーカード挿抜時の、温度上昇による違和感を与えない記録機器を提供する。【解決手段】挿抜可能なカードスロットを備えた記憶装置において、カード挿入口におけるカード取り出し位置において、少なくともカード上面５１９ａまたは下面の中央付近を覆い、かつ、カード先端付近の両側面を指で挟持可能に露出させる。【選択図】図２１
2019185497.tif 000002
【特許請求の範囲】
【請求項１】
メモリーカードが挿抜自在に収容されるカードコネクタを備えた記録装置であって
前記カードコネクタには前記メモリーカードと電気通信が可能な接点部を備え、
前記メモリーカードは矩形の板形状であり、前記メモリーカードの一辺には、前記カードコネクタに装着された際に電気的通信が可能な接点部を備え、
前記メモリーカードの接点部と前記カードコネクタの接点部が電気的に接続した第一の位置と、
前記カードコネクタの接点部と前記メモリーカードの接点部が離間させ電気的接続を切断しつつ、前記メモリーカードを保持し、ユーザーが前記メモリーカードを取り出すことが可能な第二の位置への移動手段を備え、
前記メモリーカードの前記接点部を有する一辺の対向面をメモリーカード前面とし、
前記メモリーカードが第二の位置にあるとき、前記メモリーカードの前面の両端部が露出し、
前記メモリーカード挿抜の際の開口部が外装面に形成され、
前記開口部近傍に前記メモリーカードの前面の上面及び下面の少なくとも一方の少なくとも一部を覆った覆設部材を備えた事を特徴とする記録装置。
【請求項２】
請求項１に記載の記録装置において、前記覆設部材はメモリーカードの挿抜に応じて移動可能な蓋部材であることを特徴とする記録装置。
【請求項３】
請求項１に記載の記録装置において、前記覆設部材は弾性部材であることを特徴とする記録装置。
【請求項４】
請求項２に記載の記録装置において、前記メモリーカード開口部は二辺の長辺と二辺の短辺で構成された矩形状であり、前記蓋部材は前記矩形状の長辺の少なくとも一方の近傍に備えられ、
前記蓋部材は第一の蓋部材と第二の蓋部材をそなえ、
第一の蓋部材には、第一の回動軸と第二の回動軸を備え、第一の回動軸は前記長辺に平行な回動軸を有した第一の辺と
第二の回動軸は第一の辺の対辺である第二の辺に備えられ、
前記第二の蓋部材は前記第一の蓋部材の第二の辺と軸支され、
第一の回動軸近傍には第一の蓋部材を開口部に近接させる方向に付勢している第一の付勢部材を備え、前記第一の蓋部材には前記第一の付勢部材による回動を規制する第一の規制手段を備え、
第二の回動軸近傍には第二の蓋部材を開口部から離間させる方向に付勢する第二の付勢部材を備え前記第二の蓋部材には前記第二の付勢部材による回動を規制する第二の規制手段を備えており、
前記メモリーカードが第二の位置にあるときに第二蓋部材の先端部は、前記メモリーカードの前面の上面及び下面の少なくとも一方の少なくとも一部を覆うことを特徴とする記録装置。
【請求項５】
請求項４に記載の記録装置において、前記メモリーカード排出時には前記第一の蓋部材は、第一の付勢部材の付勢方向と反対方向に回動し、
前記メモリーカード挿入時には前記第二の蓋部材は、第二の付勢部材の付勢方向と反対方向に回動する事を特徴とする記録装置。
【発明の詳細な説明】
【技術分野】
【０００１】
本発明は挿抜可能なカードへの記録が可能な電子機器に関するものである。
【背景技術】
【０００２】
一般民生用の小型機器、例えばデジタルスチルカメラ（以下、必要がなければ単にカメラという。）等では撮影した画像データの記録にメモリーカードを使用するのが主流となっている。
【０００３】
そのため、カメラにはメモリーカードが挿抜されるカードコネクタを備えている。
また、カメラ機能のセンサー画素数の向上や記録画質の向上や小型化が進み、カメラ内部の温度も増加する傾向にある。
【０００４】
画像処理等の機能部品として用いられている電子デバイス等は、小型でかつ処理速度を向上させる等の高性能化しており、それに伴ってカメラ内部の発熱量も増大している。また、カメラも小さいながらいろいろな機能を持たせることで差別化を図るカメラメーカーの意図もあり、より高機能化している反面、消費電力の増大等で、電子素子の発熱により本体内部の温度上昇が高くなる傾向があり、長時間撮影後に、メモリーカード取り出す際に指でつまんだ時、カードの温度が上昇していることに違和感を覚える場合がある
例えば、特許文献１ではメモリーカードのコネクタ内に熱伝導部材を移動可能に配置した提案がなされている
【先行技術文献】
【特許文献】
【０００５】
【特許文献１】特開２０１２−９６１４号公報
【発明の概要】
【発明が解決しようとする課題】
【０００６】
しかしながら、上記従来例ではメモリーカードのコネクタが複雑かつ大型化しさらには部品点数も増えることからコストアップの可能性もあった。
【課題を解決するための手段】
【０００７】
本発明の記録装置は、メモリーカードが挿抜自在に収容されるカードコネクタを備えており、前記カードコネクタには前記メモリーカードと電気通信が可能な接点部を備え、前記メモリーカードは略矩形の板形状であり、前記メモリーカードの一辺には、前記カードコネクタに装着された際に電気的通信が可能な接点部を備え、前記メモリーカードの接点部と前記カードコネクタの接点部が電気的に接続した第一の位置と、前記カードコネクタの接点部と前記メモリーカードの接点部が離間させ電気的接続を切断しつつ、前記メモリーカードを保持し、ユーザーが前記メモリーカードを取り出すことが可能な第二の位置への移動手段を備え、前記メモリーカードの前記接点部を有する一辺の対向面をメモリーカード前面とし、前記メモリーカードが第二の位置にあるとき、前記メモリーカードの前面の両端部が露出し、前記メモリーカード挿抜の際の開口部が外装面に形成され、前記開口部近傍に前記メモリーカードの前面の上面及び下面の少なくとも一方の少なくとも一部を覆った覆設部材を備えた事を第一の特徴としている。
【発明の効果】
【０００８】
本発明によれば、メモリーカード取り出し時において、ユーザーはメモリーカードの両端部を挟持するため、メモリーカードと指の接触面積が小さいために指に熱が伝わりにくくなり、熱による違和感を持ちにくい。
【図面の簡単な説明】
【０００９】
【図１】本発明実施例の撮像機器の外観を示した前方斜視図
【図２】本発明実施例の撮像機器の正面図
【図３】本発明実施例の撮像機器の外観を示した後方斜視図
【図４】本発明実施例の撮像機器の把持部を外した側面図
【図５】本発明実施例の撮像機器の動作制御の構成を示すブロック図
【図６】本発明実施例の撮像機器の断面図
【図７】本発明実施例の撮像機器のカード蓋の分解斜視図
【図８】本発明実施例の撮像機器のカード蓋の正面図
【図９】本発明実施例の撮像機器の部分斜視図
【図１０】本発明実施例の撮像機器の内蓋部の分解図
【図１１】本発明実施例の撮像機器の内蓋部の斜視図
【図１２】本発明実施例の撮像機器の内蓋部の斜視図
【図１３】本発明実施例の撮像機器の内蓋部の斜視図
【図１４】本発明実施例の撮像機器の内蓋部の断面図
【図１５】本発明実施例の撮像機器の内蓋部の断面図
【図１６】本発明実施例の撮像機器の部分斜視図
【図１７】本発明実施例の撮像機器の部分斜視図
【図１８】本発明実施例の撮像機器の部分斜視図
【図１９】本発明実施例の撮像機器の分解図
【図２０】本発明実施例の撮像機器の断面図
【図２１】本発明実施例の撮像機器の断面図
【図２２】本発明実施例の撮像機器の斜視図
【図２３】本発明実施例の撮像機器の断面図
【図２４】本発明実施例の撮像機器の斜視図
【図２５】本発明実施例の撮像機器の斜視図
【図２６】本発明実施例の撮像機器の断面図
【発明を実施するための形態】
【００１０】
（第一の実施例）
以下、本発明に掛かる撮像機器の好ましい形態について詳述する。説明においては被撮影者側を前方とし、撮影者側を後方とする。また、左右に関しては被撮影者から見て右側をＲ側、左側をＬ側とする。
【００１１】
また、撮像機器の底面は水平面となっている。底面側を下、天面側を上とする。なお、本発明の関係する部分を中心に説明を行い、発明と直接関連しない部分は省略している。
【００１２】
＜外観説明＞
図１は本発明実施例の撮像機器の外観を示した前方斜視図である。図２は本発明実施例の撮像機器の正面図である。図３は本発明実施例の撮像機器の外観を示した後方斜視図である。図１〜図３を用いて外観の説明をする。
【００１３】
カメラ１は大きく分けて本体部２と把持部３を接続部４により連結した形となっている。本体部２の上面中央にはマイク部９０を備え、その後方に周辺機器類が固定可能なアクセサリーシュー１４を備えている。上面の左右端近傍にはネックストラップが取り付け可能なストラップ金具１５ ，１６を備えている。本体部２の正面略中央にはレンズ外装部５が前方に突出している。
【００１４】
レンズ外装部５の外周にはＺＯＯＭリング１７とフォーカスリング１８を備えている。本体部２の背面には中央にタッチパネル付き画像表示部６０を有する表示部１９を備えており、その下には後述するメモリーカード５１９を挿抜するために開閉する カード蓋４００を備えている。把持部３の上面前方にはトリガーボタン１３０を備えている。本体部２のＲ側のレンズ外装部５の後方の一部円筒形状部６には撮影時の各種設定を行うモード切り替え部７a、電源ボタン７ｂ、操作部７ｃが上下に配置されている。
【００１５】
さらにモード切り替え部７aの後方には端子類が上下に連設されている。上部からヘッドフォン端子８、ＨＤＭＩ（登録商標）端子９、ＵＳＢ端子１０、外部電源端子１１を備えている。前記端子類の後方には上下に長細い矩形状の本体排気口１２を備えており、本体排気口１２は複数のリブが連設され、異物の混入を防いでいる。
【００１６】
図４は把持部３を外した状態での本体部２のL側を見た側面図である。本体部２のＬ側には、円筒状の接続部４の後方に上下に長細い矩形状の本体吸気口２２を備えており、前記本体排気口１２と同様に複数のリブによって異物の混入を防いでいる
＜動作制御説明＞
図５は本発明実施例のカメラ１の動作制御の構成を示すブロック図である。カメラ１はフォーカス及びズーム等の光学制御系を含む光学レンズ群及び絞りからなるレンズ部３０、後述する撮像素子３１及び撮像基板３２を含むメイン撮像部５０２、カメラ信号処理部５０３、圧縮伸張処理部５０４、タッチパネル付き画像表示部６０、記録再生処理部５０６、メモリーカード５１９を制御するカード制御部５０７、大容量内蔵メモリー５２０を制御する大容量内部メモリー制御部５０８、音声信号処理部５１０、メモリー５１１、メモリー制御部５１２、操作部５１４、外部装置５２１との接続で使うデジタルＩ/Ｆ ５１５、外部装置５２２との接続を行う入出力部５１６、ＧＰＳ受信部５２４、ＧＰＳ信号処理部５２５、電源制御部５１７、バッテリー５２３、さらに本体の冷却用にファン７０を備えている。
【００１７】
また、各機能ブロックはそれぞれデータバス５１８を介して互いにデータ通信可能に接続されている。
【００１８】
このようなカメラ１においてメモリー５１１はプログラム記憶領域とデータ作業領域を有し、データバス５１８を介して各機能ブロックでタイムシェアリングして使用され、メモリー制御部５１２により制御及び管理されている。
【００１９】
ＣＰＵ ５１３は所定のプログラムを実行すること等により、カメラ１全体を統括制御する中央演算処理回路である。操作部５１４は前記タッチパネル付きのタッチパネル付き画像表示部６０や電源ボタン７ｂ及びトリガーボタン１３０等を含んでいる。前述したが電源ボタン７ｂは押圧操作することで電源のＯＮ/ＯＦＦを行う。
【００２０】
トリガーボタン１３０は押圧操作することで動画撮影のスタート/ストップを行う事が可能である。その他の操作に関してはタッチパネル付き画像表示部６０でも行うことができる。
【００２１】
このように前記操作部５１４はユーザーからのキー操作などに基づいて、ＣＰＵ ５１３に対して動作指示する機能を有する。デジタルＩ/Ｆ ５１５は例えば図示しないＵＳＢ等の規格に従い外部装置５２１と信号を授受する。
【００２２】
メモリーカード５１９はＳＤカードやコンパクトフラッシュ（登録商標）等の脱着式のフラッシュメモリーであり、撮影データ及び音声データが記録される。電源制御部５１７はバッテリー検出回路、ＤＣ−ＤＣコンバータ、通電するブロックを切り替えるスイッチ回路等により構成されており、バッテリー５２３の装着の有無、電池の種類、電池残量の検出を行う。バッテリー５２３はリチウムイオン等であり、カメラ１に電源を供給する。
【００２３】
ＧＰＳ受信部５２４はＧＰＳ衛星から位置と時間のデータを取得する。このデータは、ＧＰＳ信号処理部５２５にて処理され、ＧＰＳ受信部５２４の位置やその位置における時刻を算出する。このカメラ１では算出した位置情報や時刻情報を画像データとともに大容量内蔵メモリー５２０またはメモリーカード５１９に書き込む。再生時には、この位置情報や時刻情報を参照することができ、データや記憶の整理に利用できる。
【００２４】
次にカメラ１の撮影動作及び記録動作、再生動作について説明する。例えば操作部５１４により撮影動作、記録動作が指示された場合、被写体からの光はレンズ部３０により所定の明るさ、画角、及びフォーカス等が制御された光学信号となってメイン撮像部５０２に対して入力される。メイン撮像部５０２は入力光学信号を電気信号に変換し、カメラ信号処理部５０３に出力する。カメラ信号処理部５０３はこの電気信号をデジタル画像信号に変換する。
【００２５】
そしてこの画像信号に対して、色分離、階調補正、及びホワイトバランス調整などの信号処理を施したのち出力する。
【００２６】
音声信号処理部５１０はマイク部９０より入力された音声信号を所定レベルにゲインコントロールしてデジタル化することで、音声データとして出力する。圧縮伸張処理部５０４はカメラ信号処理部５０３から出力された画像データ及び音声信号処理部５１０から出力された音声データを所定の圧縮符号化方式により圧縮符号化する。圧縮伸張処理部５０４で処理された圧縮符号化対象の撮影データは画像表示部２１に表示され必要に応じてカメラ１の動作状況も表示する。
【００２７】
記録再生処理部５０６は圧縮伸張処理部５０４で得られた圧縮符号化後のデータに対して、エラー訂正符号化処理や変調処理等を施し、さらに同期、ＩＤ、ＧＰＳ受信部５２４及びＧＰＳ信号処理部５２５から算出した位置情報や時刻情報などのデータを付加して記録に適した形態に変換した後、大容量内蔵メモリー５２０あるいはメモリーカード５１９等の記録媒体に記録する。この際、大容量内部メモリー制御部５０８は大容量内蔵メモリー５２０の記録制御を、カード制御部５０７はメモリーカード５１９の記録制御を行う。
【００２８】
一方、操作部５１４により再生動作が指示された場合、記録再生処理部５０６は、大容量内蔵メモリー５２０またはメモリーカード５１９から読み出したデータから元のデジタルデータを検出し、エラー訂正及び復調等の処理を施す。また、ＰＬＬ回路によりこの再生データに同期したクロックを生成する。
【００２９】
圧縮伸張処理部５０４は、記録再生処理部５０６より出力されたデータに対して、所定の圧縮符号化方式に対応した伸張処理を施し、圧縮符号化前の撮影データ及び音声データを取得する。画像表示部２１は圧縮伸張処理部５０４で得られた再生データを表示する。
【００３０】
また、操作部５１４によりデジタルＩ/Ｆ ５１５からの入力データを記録する指示があった場合、ＣＰＵ ５１３はデジタルＩ/Ｆ ５１５により、外部装置５２１からの画像データあるいは音声データをデジタル信号の状態で入力し、記録再生処理部５０６に送る。この際、外部装置５２１からの画像データ、音声データはすでに符号化されているものとし、記録再生処理部５０６は前述のようにこの入力データに対して記録に必要な処理を施して大容量内蔵メモリー５２０やメモリーカード５１９などの記録媒体に記録する。
【００３１】
また操作部５１４により、入出力部５１６からの入力信号を記録する指示があった場合、ＣＰＵ ５１３は入出力部５１６を制御し、外部装置５２２から出力された画像、音声信号を入力する。入出力部５１６は外部装置５２２から出力された画像、音声信号をデジタルデータに変換してメモリー５１１に出力する。ＣＰＵ ５１３はこのメモリー５１１に記憶された画像、音声データを圧縮伸張処理部５０４に出力して圧縮符号化し、記録再生処理部５０６に送る。
【００３２】
記録再生処理部５０６は前述のようにこの符号化されたデータに対して記録に必要な処理を施して大容量内蔵メモリー５２０やメモリーカード５１９などの記録媒体に記録する。また、電源をＯＮにすると、ファン７０は駆動を開始して、後述するダクト部８００を介して給排気を行う。スピーカー制御部６００により、スピーカーからの音声出力の制御を行う。
【００３３】
＜本体の構造＞
本体内部の構造について説明する。図６はレンズ部３０の光軸を通り、底面に垂直な面で切った時の断面模式図であり、カメラ１の主要な構成を示している。レンズ外装部５には図示しないレンズ群を内包するレンズ部３０が挿設され、レンズ部３０の後端には撮像素子３１を実装した撮像基板３２が具設される。撮像基板３２とメイン基板４０はワイヤー３３aで接続している。メイン基板４０は複数のＩＣ及び電気部品を実装しており、前述した各種制御及び図示しない他の基板との通信を行っている。
【００３４】
メイン基板４０の片面には電気部品４１a、電気部品４１ｂ、電気部品４１ｃが実装されている。カメラ１に電源を投入し、駆動を始めると、前記電気部品４１a、電気部品４１ｂ、電気部品４１ｃは熱を発し、放熱せずに長時間作動すると、電気部品が保証温度以上の高温となり性能劣化を起こす可能性がある。したがって、積極的な冷却が必要となる。
【００３５】
メイン基板４０の後方には略矩形状でメイン基板４０と略平行にダクト部８００が配置している。ダクト部８００の前面には複数の突起部８０１ａ、突起部８０１ｂ、突起部８０１ｃを備え、前記電気部品４１a、電気部品４１ｂ、電気部品４１ｃと各々当接しており、突起部８０１ａから前記電気部品４１aへ、突起部８０１ｂから電気部品４１ｂへ、突起部８０１ｃから電気部品４１ｃへと熱を伝熱している。
【００３６】
ダクト部８００には図示しないファンを備えており、本体吸気口２２から本体排気口１２へ空気を流しダクト部８００を冷却している。カメラ１の底面と略平行にカード基板８２を備え上面にはカードコネクタ８１を実装している。カード基板８２とメイン基板４０はワイヤー３３ｂで接続している。カメラ１の背面部の背面カバー３００には開口部３２０を備えている。カードコネクタ８１はメモリーカード５１９を背面方向に挿抜が可能である。
【００３７】
ユーザーは前記開口部３２０からメモリーカード５１９の抜き差しを行う。開口部３２０はメモリーカード５１９の形状に合わせて形成されており、本実施形態では左右方向に長い開口である。詳細は後述するが、開口部３２０の近傍には内蓋部１５０を備え、前記内蓋部１５０と開口部３２０を覆うカード蓋４００を備えている。カード蓋４００の上部には表示部１９を備えている。
【００３８】
＜カード蓋の構造＞
図７、図８にカード蓋４００の構造を示す。図７は分解斜視図であり、図８は前方から見た正面図である。カード蓋４００は左右方向に長い凸の字形状で、上部の両端幅が絞られた形状であり、箱状に深さを持った形状である。
【００３９】
上部の両端の壁４０１と壁４０２には穴４０１ａ、穴４０２ａを穿設している。穴４０１ａ、穴４０２ａは同軸に形成されている。穴４０１ａ、穴４０２ａの近傍にはボス４０３とボス４０４を形成している。
【００４０】
カード蓋４００の上端に形成された壁４０５の一部には後述する当接部４０５ａを備える。カード蓋４００の中央部には上下方向に長いリブ４０６を形成している。カード蓋４００の下部の壁４０７の近傍には箱形状４０８を備え、箱形状４０８のリブ先端より低い十字リブ４０８ａが形成されている。
【００４１】
本実施例では箱形状４０８はカード蓋４００の左右方向の中央よりＬ側に位置している。板金部材を加工した軸取付板４２０と軸取付板４２１は９０度に曲げ加工がされ、一面には各々軸４２０ａと軸４２１ａがカシメ固定されており、前記軸４２０ａ、軸４２１ａはカード蓋４００の穴４０１ａ、穴４０２ａと平行な方向である。軸取付板４２０の穴４２０ｂと軸取付板４２１の穴４２１ｂは被写体と正対した面に形成されている。
【００４２】
軸４２０ａをカード蓋４００の穴４０１ａに挿通し、ネジ４２６にて軸取付板４２０をカード蓋４００のボス４０３に固定する。軸４２１ａをカード蓋４００の穴４０２ａに挿通し、ネジ４２５にて軸取付板４２１をカード蓋４００のボス４０４に固定する。マグネット４３０を箱形状４０８に嵌めこみ、十字リブ４０８ａの上面に接着等により固着する。
【００４３】
図９にカード蓋４００と背面カバー３００の係合を示す。図９は背面からの分解斜視図である。背面カバー３００にはＲ側とＬ側に後方に突出した袋形状３０１と袋形状３０２を備える。互いに内側の側面に穴３０１ａと穴３０２ａを備えている。前記穴３０１ａと穴３０２ａはレンズ部３０の光軸と直交しかつ同軸の穴である。前記軸４２０ａは穴３０２ａに軸支され、軸４２１ａは穴３０１ａに軸支されることでカード蓋４００は背面カバー３００に回動自在に固定される。
【００４４】
＜内蓋部の構成＞
図１０、図１１に内蓋部１５０の構成を説明する。図１０は分解状態図で図１１は内蓋部の背面斜視図である。内蓋取付部材１５１は第一内蓋１７０を軸１９０を介し軸架している。第一内蓋１７０は第二内蓋１８０を軸１９１によって軸架している。内蓋取付部材１５１と第一内蓋１７０の連結部にはトーションバネ１６０が介在している。第一内蓋１７０と第二内蓋１８０の連結部にはトーションバネ２１０が介在している。内蓋取付部材１５１は左右方向に長細い部品である。左右両端には穴１５３ａと穴１５３ｂを備える。
【００４５】
前記穴１５３ａ、穴１５３ｂの内側でかつ近傍には先端が半円形状の凸部１５４ａ、凸部１５４ｂを形成している。前記凸部１５４ａ、凸部１５４ｂには軸穴１５２ａ、軸穴１５２ｂが同軸にて形成される。
【００４６】
トーションバネ１６０は円形に複数回巻かれたバネ部１６１から巻き始め、巻き終わりからそれぞれ腕１６２、腕１６３が延出しており、前記腕１６２、腕１６３の先端部は９０度曲がった先端部１６２ａ、先端部１６３ａを備える。
【００４７】
第一内蓋１７０は扁平な板形状であり、前方の一端面は、Ｌ側の側面端近傍に切欠き部１７２を備え、切欠き部１７２を挟んで両側には同軸で内蓋取付部材１５１の軸穴１５２ａ、軸穴１５２ｂと略同一直径の軸穴１７３ａと軸穴１７３ｂが穿設されている。
後方の端部には中央からＲ側にかけて切り欠き部１７７と、切り欠き部１７７に隣接し、Ｌ側にの側面端近傍には凹部１７４を形成している。前記切り欠き部１７７と凹部１７４の両端には軸穴１７５ａ、軸穴１７５ｂを備えている。軸穴１７５ａと軸穴１７５ｂは同軸穴である。
【００４８】
トーションバネ２１０は円形に複数回巻かれたバネ部２１１から巻き始めと巻き終わりからそれぞれ腕２１２、腕２１３が延出しており、前記腕２１２、腕２１３の先端部は９０度曲がった先端部２１２ａ、先端部２１３ａを備える。第二内蓋１８０の扁平な板状をしており、長さは第一内蓋１７０より短い。前方の端面は中央部が突出しており、軸穴１８１が穿設されている。後方端部１８２は断面が略半円形状になっている。
【００４９】
軸１９０は軸穴１５２ａ、軸穴１７３ｂ、バネ部１６１、軸穴１７３ａ、軸穴１５２ｂと挿通し、第一内蓋１７０を軸架する。軸１９１は軸穴１７５ｂ、軸穴１８１、バネ部２１１、軸穴１７５ａを挿通し、第二内蓋１８０を軸架する。
【００５０】
図１２は図１１を裏面側からみた斜視図である、但し内蓋取付部材１５１は除いている。面１７０ａの後ろ側には凸形状１４１を形成しており、凸形状１４１の先端側には稜１４１ａを備えている。また、第二内蓋１８０には面１８５ａを備えた凹形状１８５が欠成され、第二内蓋１８０が第一内蓋１７０に近接方向に回動した時に前述の稜１４１ａが面１８５ａに当接する。
【００５１】
＜第一内蓋、第二内蓋の動き＞
図１３、図１４、図１５に第一内蓋１７０と第二内蓋１８０の動きを示す。図１３は内蓋部１５０のＬ側の部分斜視図である。図１４、図１５は第一内蓋１７０と第二内蓋１８０の回動範囲を示す断面図である。図１４は第一内蓋１７０及び第二内蓋１８０が共に時計回りにもっとも回転している状態を示す。図１５は第一内蓋１７０及び第二内蓋１８０が共に反時計回りにもっとも回転している状態を示す。
【００５２】
軸１９０に挿通されたトーションバネ１６０の先端部１６３ａは第一内蓋１７０の切り欠き部１５５と第一内蓋１７０の上面１７０ｂで形成される角部１５５ｂの近傍に当接する。もう一方の先端部１６２ａは内蓋取付部材１５１の凸部１５４ａの上面１５７ａに当接している。
【００５３】
図１４に示すように第一内蓋１７０には軸１９０を中心にして付勢力Ｆ１が反時計まわりの方向に常時作用している。図１２に示すように軸１９１に軸支されたトーションバネ２１０の先端部２１２ａは第一内蓋１７０の面１７０ａに当接する。第二内蓋１８０には面１８４ａを備えた凹形状１８４が欠成されており、トーションバネ２１０の先端部２１２ａが面１８４ａに当接する。
【００５４】
図１４に示すように、第二内蓋１８０は第一内蓋１７０に対して、軸１９１を中心にして付勢力Ｆ２が時計回りの方向に常時作用している。内蓋取付部材１５１の上端面のＬ側には底面を面１５５ａとする切り欠き部１５５を備え、凸部１５４ｂの側面１５７ｂからは面１５５ａの一部を覆うリブ１５６が突出している。第一内蓋１７０には軸１９０よりも、前方に突出したリブ１７９を備える。リブ１７９は前記面１５５ａとリブ１５６の間に介挿される。リブ１７９の上面は面１７９ａ、下面は角１７９ｂとする。
【００５５】
図１５に示すように第一内蓋１７０が反時計回りに回動した場合には、内蓋取付部材１５１のリブ１５６の下面１５６ａと、第一内蓋１７０の面１７９ａが当接した位置となる。図１４に示すように第一内蓋１７０が時計回りに回動した場合には、内蓋取付部材１５１の切り欠き部１５５の面１５５ａと、第一内蓋１７０のリブ１７９の下面の先端稜である角１７９ｂが当接する角度で止まる。
【００５６】
図１５に示すように第一内蓋１７０の回動可能な範囲は角度Θ１となる。図１４に示すように第二内蓋１８０には軸１９１によりも前方に矩形状に突出したリブ１８３を備え、下面を面１８３ａとする。
【００５７】
第二内蓋１８０が時計方向に回動した場合は、前記面１８３ａが、第一内蓋１７０の凹部１７４の上面である面１７４ａに当接する。
【００５８】
図１５に示すように、第二内蓋１８０が反時計方向に回動した場合は、第二内蓋１８０の凹形状１８５の面１８５ａと、第一内蓋１７０の凸形状１４１の稜１４１ａが当接する。したがって第二内蓋１８０の回動可能な範囲は角度Θ２となる。
【００５９】
＜カード基板周辺の構造＞
図１６にカード周辺部８０の分解状態の背面斜視図を示す。カードコネクタ８１はカード基板８２の上面に実装される。カード基板８２は矩形状をなしており、４つの角近傍には、穴８２ａ、穴８２ｂ、穴８２ｃ、穴８２ｄを備える。カード基板取付板８４は金属の薄板等の加工部品である。カード基板取付板８４は略矩形状の面８４ａを有し、Ｒ側端面から曲げ加工により、カード基板８２と平行なネジ止め部８５、ネジ止め部８７ａを備える。Ｌ側端面から曲げ加工により、カード基板８２と平行なネジ止め部８６、ネジ止め部８８ａを備える。
【００６０】
ネジ８３ａ、ネジ８３ｂ、ネジ８３ｃ、ネジ８３ｄは前記穴８２ａ、穴８２ｂ、穴８２ｃ、穴８２ｄを挿通し、ネジ止め部８５、ネジ止め部８７ａ、ネジ止め部８６、ネジ止め部８８ａに螺合し、カード基板８２を固定する。また、カード基板取付板８４はネジ止め部８７ａ、ネジ止め部８８ａから後方に板金部が延出し、カード基板８２と直交した面を設け、ネジ止め部８７ｂ、ネジ止め部８８ｂを有している。
【００６１】
図１７に背面カバー３００の構成を示す前方斜視図を示す。図１８に板バネ取付部材３５０と板バネ３６０の結合状態の後方斜視図を示す。前記カード周辺部８０はネジ止め部８８ａとネジ止め部８７ａが、背面カバー３００に形成された穴３０３ａ、穴３０３ｂを挿通したネジ３３０ａ、ネジ３３０ｂと螺合する。
【００６２】
板バネ取付部材３５０は両端部に穴３５２ａと穴３５２ｂを備え、ネジ３７１ａとネジ３７１によって、背面カバー３００のボス３０４ａとボス３０４ｂに固定される。
板バネ取付部材３５０の中央付近には矩形状の開口部３５３を備え、開口部３５３の上方には前面に突出したボス３５１ａとボス３５１ｂを備えている。
【００６３】
板バネ３６０はＬ字状に加工された薄板金属部品であり、光軸と直交した面３６１と、そこから光軸方向にまがり、先端が上側に半円状に丸めた付勢部３６２を備え、面３６１には両端に穴３６１ａと穴３６１ｂが空いており、ネジ３７０ａが穴３６１ａとボス３５１ａを螺合して、ネジ３７０ｂが穴３６１ｂとボス３５１ｂを螺合する。板バネ取付部材３５０の背面側には矩形状に突出した土台部３５４を備え、土台部３５４の背面側は上方が開口した開口部３５４ｂと上方にかぎ状に突出したリブ３５４ｃを形成している。
【００６４】
土台部３５４のＲ側の側面３５４ａには略半球状に二つの凹形状３５６ａと凹形状３５６ｂが削成されている。また、土台部３５４には開口部３５５を備え、前記開口部３５３とつながっており、付勢部３６２は板バネ取付部材３５０の開口部３５３に挿入され、開口部３５５から突出する。
【００６５】
図１９に内蓋部１５０の取付を示す。内蓋取付部材１５１の穴１５３ａが背面カバー３００のネジ穴３５９ａにネジ３３１ａによって螺合され、穴１５３ｂがネジ穴３５９ｂにネジ３３１ｂによって螺合され、内蓋部１５０は板バネ取付部材３５０の下に併設される。背面カバー３００のＲ側の下側には凹部５０２を備え、金属板３８０が接着固定される。
【００６６】
カード蓋４００は、閉まった際には前述のマグネット４３０と金属板３８０が当接して、開閉自在に保持される。また背面カバー３００には矩形状の開口部５００を備え、メモリーカード５１９の抜き差しの為の穴となっている。また開口部５００の横には開口部５０１を備え、カードコネクタ８１のエジェクタノブ８３が突出している。
【００６７】
図示しないが、メモリーカード５１９が未装着の際はイジェクトノブ８３の先端は引っ込んでおり開口部５０１と略同一面にある。メモリーカード５１９をカードコネクタ８１に装着すると、イジェクトノブ８３は一定量突出する。その後メモリーカード５１９を排出する際にはイジェクトノブ８３を押しこむことで、メモリーカード５１９が一定量排出される。
【００６８】
＜メモリーカード挿抜時の説明＞
図２０にカード蓋４００を開いた状態の断面図を示す。前述したようにカード蓋４００は軸４２０ａ、軸４２１ａを中心に回動する。カード蓋４００が最大に開いた時、カード蓋４００の当接部４０５ａは後方側が板バネ取付部材３５０のリブ３５４ｃの前面に当接する。この時当接部４０５ａの前面側は板バネ３６０の付勢部３６２に当接し、カード蓋４００は反時計回りに付勢され、図２０の状態で保持される。カード蓋４００を時計回りに回転すると、付勢部３６２は下方向に変形することで回動することが可能となる。
【００６９】
図２０においてメモリーカード５１９がカードコネクタ８１に記録可能位置まで挿入されている状態を示す。この時メモリーカード５１９の先端面５１９ｂは背面カバー３００の面５０３から高さＸ１だけ突出している。またメモリーカード５１９の上面５１９ａは第二内蓋１８０の端部１８２より上方にある。
【００７０】
この時、第一内蓋１７０と鉛直線のなす角度は角度Θ３である。図１５に示すリブ１７９の面１７９ａが内蓋取付部材１５１のリブ１５６に当接した状態である。図２１、図２４は前述したカードコネクタ８１のイジェクトノブ８３を押しこみ、メモリーカード５１９を取り出し位置に移動した状態である。図２１は断面図、図２４は背面斜視図である。
【００７１】
この時メモリーカード５１９の先端面５１９ｂは背面カバー３００の面５０３より高さＸ２突出し、第二内蓋１８０の端部１８２が先端面５１９ｂによって背面側に押されるため、第一内蓋１７０が鉛直線となす角度は角度Θ４まで開く。この時第二内蓋１８０はメモリーカード５１９中央部の上面５１９ａを大きく覆うため、メモリーカード５１９の上下の面をつまむことは困難な構造になっている。
【００７２】
しかし、第二内蓋１８０の幅寸法Ｗ２はメモリーカード５１９の幅寸法Ｗ１より小さい為、メモリーカード５１９の先端角部５１９ｄと先端角部５１９ｅは露出しており、幅方向から指でつまむ事が可能である。
【００７３】
図２２はメモリーカード５１９を取り出し中の断面図である。この時、第二内蓋１８０の端部１８２はメモリーカード５１９の上面５１９ａに押される。したがって、第一内蓋１７０と垂線のなす角度は前記角度Θ４からさらに広がり角度Θ５となる。その後、メモリーカード５１９を取り出すと内蓋部１５０の状態は図２０の状態となる。
【００７４】
再度、メモリーカード５１９が挿入される際は、第一内蓋１７０と垂線のなす角度は前記座角度Θ３の状態で、第二内蓋１８０は軸１９１を中心に時計回りに回動することにより、前方に退避し、メモリーカード５１９の挿入を妨げない。
【００７５】
メモリーカード５１９の挿入後は図２０の状態に戻る。メモリーカード５１９は扁平な板形状であるため、上下面を指でつまむと指とメモリーカードの接触面積は大きくなる。記録後のメモリーカード５１９は記録前に比べ、温度が上がるため、ユーザーが違和感を覚える事がある。
【００７６】
上記構造を取ることで、ユーザーは上下面をつまむ事が困難なため、メモリーカード５１９の先端角部５１９ｄと先端角部５１９ｅを指で挟んで取り出すことになる。
先端角部５１９ｄと先端角部５１９ｅと指の接触面積は小さくなるのでユーザーはメモリーカード５１９の温度の変化に気がつかないという効果がある。
【００７７】
（第２の実施例）
前述の第一の実施例では二つのカード蓋を用いていたが、本発明の要旨によれば必ずしもカード蓋は必要としない。第２の実施例は、部品点数を減らしつつ、本発明の要旨を満足する構成を説明する。
【００７８】
図２５はカメラ１の本体背面斜視図である。図２６は図２５をレンズ部３０の光軸を通り底面に垂直な面で切った断面図である。図２５、図２６はイジェクトノブ８３を押すことで、メモリーカード５１９を取り出し位置に移動させた状態である。
【００７９】
背面カバー３００はメモリーカード５１９の上面５１９ａの中央付近が前方に一段低くなった面３００ａが形成され、そこに弾性部材９００が接着されている。弾性部材９００はゴムやスポンジ等の変形可能な材質である。弾性部材９００からメモリーカード５１９を挟んで、下方には弾性部材９００より前方に低くなった面３００ｂを有している。弾性部材９００と面３００ｂの左右には面３００ｂからさらに前方に低くなっている面５５０ａと面５５０ｂを形成している。
【００８０】
このような構成でも、カードを取り出す際に、メモリーカード５１９の上面を触れずに、先端角部５１９ｄと先端角部５１９ｅを挟んで取り出す事が可能となる。また、弾性部材９００を備えることで、挿入時に指が弾性部材９００に当たっても、痛くない構成となっている。
【００８１】
以上本発明をその好適な実施形態において詳述してきたが、本発明はこれら特定の実施形態に限られるものではない。この発明の趣旨を逸脱しない範囲のさまざまな形態も本発明に含まれる。
【符号の説明】
【００８２】
１ ・・・・ カメラ
２ ・・・・ 本体部
３ ・・・・ 把持部
４ ・・・・ 接続部
５ ・・・・ レンズ外装部
６ ・・・・ 円筒形状部
７ａ ・・・・ モード切り替え部
７ｂ ・・・・ 電源ボタン
７ｃ ・・・・ 操作部
８ ・・・・ ヘッドフォン端子
９ ・・・・ ＨＤＭＩ端子
１０ ・・・・ ＵＳＢ端子
１１ ・・・・ 外部電源端子
１２ ・・・・ 本体排気口
１４ ・・・・ アクセサリーシュー
１５、１６ ・・・・ ストラップ金具 
１８ ・・・・ フォーカスリング
１９ ・・・・ 表示部
２０ ・・・・ カード蓋
２１ ・・・・ 画像表示部
２２ ・・・・ 本体吸気口
３０ ・・・・ レンズ部
３１ ・・・・ 撮像素子
３２ ・・・・ 撮像基板
【図１】
2019185497.tif 000003
【図２】
2019185497.tif 000004
【図３】
2019185497.tif 000005
【図４】
2019185497.tif 000006
【図５】
2019185497.tif 000007
【図６】
2019185497.tif 000008
【図７】
2019185497.tif 000009
【図８】
2019185497.tif 000010
【図９】
2019185497.tif 000011
【図１０】
2019185497.tif 000012
【図１１】
2019185497.tif 000013
【図１２】
2019185497.tif 000014
【図１３】
2019185497.tif 000015
【図１４】
2019185497.tif 000016
【図１５】
2019185497.tif 000017
【図１６】
2019185497.tif 000018
【図１７】
2019185497.tif 000019
【図１８】
2019185497.tif 000020
【図１９】
2019185497.tif 000021
【図２０】
2019185497.tif 000022
【図２１】
2019185497.tif 000023
【図２２】
2019185497.tif 000024
【図２３】
2019185497.tif 000025
【図２４】
2019185497.tif 000026
【図２５】
2019185497.tif 000027
【図２６】
2019185497.tif 000028